(57)【要約】【課題】コストの上昇を伴うことなく、見た目良く開封でき、内容物の保存性にも優れた包装袋を得る。【解決手段】包装袋１は、縦シール部３と上部横シール部２Ａ及び下部横シール部２Ｂとを有するピロー型の包装袋である。また、上下方向に関する縦シール部３の中心位置をＣとして、この中心位置Ｃよりも上部の偏心位置Ｔ（即ち、縦シール部３のうち上部横シール部２Ａ寄りの位置）には、所定の開封開始構造として切り込み４が形成されている。切り込み４を起点として横方向に沿って包装袋１が開封されることにより、包装袋１は、開封箇所から上部横シール部２Ａ側の蓋部分と、開封箇所から下部横シール部２Ｂ側の本体部とに分けられる。【選択図】図１
2008290723.tif 000002
【特許請求の範囲】
【請求項１】
フィルムの対向端部同士を帯状に重ねて密着した縦シール部と、前記縦シール部が形成された筒状体の上端部及び下端部をそれぞれ密封する一対の横シール部とを有するピロー型の包装袋であって、
前記縦シール部のうち一方の前記横シール部寄りの位置に、所定の開封開始構造が形成されており、
前記開封開始構造は、互いに隣接して形成された２つの切り込みであって、前記縦シール部のうち前記２つの切り込みの間の部分は接着されておらず、
前記開封開始構造を起点として横方向に沿って前記包装袋が開封されることにより、前記包装袋のうち開封箇所から前記一方の横シール部側の部分を、開封された前記包装袋の蓋として使用可能であり、
前記横方向に沿った開封によって生じた前記包装袋の帯状片によって前記蓋を縛ることが可能である、包装袋。
【請求項２】
前記フィルムは、前記横方向に沿ってのみカット可能な一軸延伸フィルムである、請求項１に記載の包装袋。
【発明の詳細な説明】
【技術分野】
【０００１】
本発明は、ピロー型の包装袋に関する。
【背景技術】
【０００２】
包装袋の一種であるピロー型の包装袋（以下「ピロー包装袋」と称す）は、フィルムの対向端部同士を帯状に重ねて密着した縦シール部（「背貼り」とも称されている）と、当該縦シール部が形成された筒状体の上端部を密封する上部横シール部と、上記筒状体の下端部を密封する下部横シール部とを有している。そして、従来の多くのピロー包装袋では、上部横シール部にＶ字形のノッチ（又は切り込み）が形成されており、消費者は、当該ノッチの近傍を両手の指先で摘んで、当該ノッチを起点として包装袋を縦方向にカットすることにより、包装袋を開封する。
【０００３】
なお、縦シール部にノッチが形成されたピロー包装袋が、例えば下記特許文献１に開示されている。
【０００４】
【特許文献１】特開平６−４８４５０号公報
【発明の開示】
【発明が解決しようとする課題】
【０００５】
しかしながら、上記した従来のピロー包装袋では、包装袋が縦方向に大きく裂けてしまうため、開封時に内容物が外部に溢れ出たり、乱雑に裂かれた切れ端が残ったりして、開封後の商品又は包装袋の見た目が良くないだけでなく、内容物の保存性も悪いという問題がある。
【０００６】
本発明はかかる問題を解決するために成されたものであり、コストの上昇を伴うことなく、見た目良く開封でき、内容物の保存性にも優れた包装袋を得ることを目的とする。
【課題を解決するための手段】
【０００７】
第１の発明に係る包装袋は、フィルムの対向端部同士を帯状に重ねて密着した縦シール部と、前記縦シール部が形成された筒状体の上端部及び下端部をそれぞれ密封する一対の横シール部とを有するピロー型の包装袋であって、前記縦シール部のうち一方の前記横シール部寄りの位置に、所定の開封開始構造が形成されており、前記開封開始構造は、互いに隣接して形成された２つの切り込みであって、前記縦シール部のうち前記２つの切り込みの間の部分は接着されておらず、前記開封開始構造を起点として横方向に沿って前記包装袋が開封されることにより、前記包装袋のうち開封箇所から前記一方の横シール部側の部分を、開封された前記包装袋の蓋として使用可能であり、前記横方向に沿った開封によって生じた前記包装袋の帯状片によって前記蓋を縛ることが可能であることを特徴とする。
【０００８】
第２の発明に係る包装袋は、第１の発明に係る包装袋において特に、前記フィルムは、前記横方向に沿ってのみカット可能な一軸延伸フィルムであることを特徴とする。
【発明の効果】
【０００９】
第１及び第２の発明に係る包装袋によれば、縦シール部のうち一方の横シール部寄りの位置に、所定の開封開始構造が形成されており、この開封開始構造を起点として、横方向に沿って包装袋が開封される。そして、包装袋のうち開封箇所から一方の横シール部側の部分は、開封後の包装袋の蓋として使用可能である。このように、包装袋の一部を開封後に蓋として使用することにより、内容物の保存性を向上することができる。しかも、横方向に沿った開封によって生じた包装袋の帯状片によって蓋を縛ることが可能であるため、内容物の保存性をより向上することができる。また、縦シール部のうち２つの切り込みの間の部分は接着されていないため、その非接着部分を両手の指先で摘んで反対方向に開くことにより、包装袋を横方向に沿って簡易に開封することができる。さらに、チャック付きの包装袋やマジックカットフィルムを使用する場合と比較すると、コストの低減を図ることができる。
【００１０】
特に第２の発明に係る包装袋によれば、横方向に沿ってのみカット可能な一軸延伸フィルムを使用することにより、袋が任意の方向に乱雑に裂かれることを防止でき、開封後の包装袋の見た目を良くすることができる。
【発明を実施するための最良の形態】
【００１１】
以下、本発明の実施の形態について、図面を用いて詳細に説明する。なお、異なる図面において同一の符号を付した要素は、同一又は相応する要素を示すものとする。
【００１２】
図１は、本発明の実施の形態に係る包装袋１の外観を示す平面図である。図１に示すように本実施の形態に係る包装袋１は、縦シール部３と上部横シール部２Ａ及び下部横シール部２Ｂとを有するピロー型の包装袋である。また、上下方向に関する縦シール部３の中心位置をＣとして、この中心位置Ｃよりも上部の偏心位置Ｔ（即ち、縦シール部３のうち上部横シール部２Ａ寄りの位置）には、所定の開封開始構造として切り込み４が形成されている。
【００１３】
図２は、切り込み４が形成されている箇所を拡大して示す図である。切り込み４は、包装袋１の密封性を損なわないよう、縦シール部３の外端辺Ｅから、縦シール部３の幅Ｗを貫通しない長さＬで形成されている。開封開始構造としては、切り込み４のほか、Ｖ字形のノッチを形成しても良い。但し、ノッチを形成した場合には切り屑が発生してしまい、切り屑を回収するための対策が必要となるため、本実施の形態のように切り込み４を形成するほうが望ましい。
【００１４】
図３は、縦型ピロー包装機によって包装袋１を製造する工程を順に示す模式図である。熱可塑性フィルムから成る包材５が準備された後、包材５の互いに対向する端部６Ａ，６Ｂ同士が帯状に重なり合うよう、フォマーによって包材５が筒状に曲成される。その後、筒状の包材５は、プルダウン機構によって充填シリンダの周面に沿って下方に移送されつつ、重ね合わされた端部６Ａ，６Ｂ同士が縦シール機構のシールヒータによって融着されることにより、縦シール部３が形成される。
【００１５】
また、本実施の形態に係る包装機の縦シール機構は所定のカッターを備えており、このカッターによって縦シール部３の所定の箇所をカットすることにより、切り込み４が形成される。なお、必ずしも縦シール機構がカッターを備える必要はなく、フォマー又はプルダウン機構にカッターを具備し、縦シール機構によって縦シール部３が形成されるよりも前に、予め所定の箇所に切り込み４を形成しても良い。
【００１６】
その後、横シール機構のシールヒータによって包材５の下端部が融着されることにより、下部横シール部２Ｂが形成され、筒状の包材５の下端部が密封される。次に、食品等の内容物が開口上面から袋内に充填された後、横シール機構のシールヒータによって包材５の上端部が融着されることにより、上部横シール部２Ａが形成され、包材５の上端部が密封される。以上の工程により、ピロー型の包装袋１が完成する。
【００１７】
図４は、消費者によって包装袋１が開封された状態を示す平面図である。切り込み４を起点として横方向（即ち横シール部２Ａ，２Ｂに平行な方向）に沿って包装袋１が開封されている。横方向への開封が確実に実現されるよう、開封方向を消費者に指定するようなメッセージを包装袋１に表記したり、横方向のみに沿った開封が可能な一軸延伸フィルムを包材５（図３参照）の材質として用いることが望ましい。特に一軸延伸フィルムを使用することにより、袋が任意の方向に乱雑に裂かれることを防止でき、開封後の包装袋１の見た目を良くすることができる。
【００１８】
図４に示すように、横方向に沿って包装袋１が開封されることにより、包装袋１は、開封箇所から上部横シール部２Ａ側の部分７と、開封箇所から下部横シール部２Ｂ側の部分８とに分けられる。なお、図において砂地のハッチングを示した部分は、開封によって現れた包装袋１の内側を意味している（後述の図８でも同様）。
【００１９】
図５は、開封後の包装袋１を示す側面図である。図５に示すように、部分８は、内容物を貯蔵するための本体部として機能し、部分７は、本体部の蓋として機能する。つまり、図５の（Ａ）は蓋が開けられた状況を示しており、図５の（Ｂ）は蓋が閉じられた状況を示している。
【００２０】
このように本実施の形態に係る包装袋１によれば、縦シール部３のうち上部横シール部２Ａ寄りの位置に、切り込み４が形成されており、この切り込み４を起点として、横方向に沿って包装袋１が開封される。そして、包装袋１のうち開封箇所から上部横シール部２Ａ側の部分７は、開封後の包装袋１の蓋として使用可能である。このように、包装袋１の一部を開封後に蓋として使用することにより、内容物の保存性を向上することができる。しかも、チャック付きの包装袋やマジックカットフィルムを使用する場合と比較すると、コストの低減を図ることができる。
【００２１】
変形例．
図６は、本実施の形態の変形例に係る包装袋１の外観を示す平面図である。図１に示した切り込み４の代わりに、切り込み１０が形成されている。
【００２２】
図７及び図８はそれぞれ、切り込み１０が形成されている箇所を拡大して示す平面図及び斜視図である。縦シール部３には、開封開始構造として、互いに隣接する２つの切り込み１０Ａ，１０Ｂが形成されている。そして、縦シール部３のうち、２つの切り込み１０Ａ，１０Ｂの間の部分（図７において斜線のハッチングを付した部分）は接着されておらず、図８に示す非接着部分３Ａ，３Ｂを構成している。従って、消費者は、縦シール部３の非接着部分３Ａ，３Ｂを両手の指先で摘んで左右反対方向に開くことにより、包装袋１を横方向に沿って簡易に開封することができる。なお、横方向への開封を確実にすべく、上記と同様に、開封方向を指定するようなメッセージを表記したり、横方向のみに沿った開封が可能な一軸延伸フィルムを包材の材質として用いても良い。
【００２３】
図９は、消費者によって包装袋１が開封された状態を示す平面図である。包装袋１は、横方向に沿って開封され、開封箇所から上部横シール部２Ａ側の部分７と、開封箇所から下部横シール部２Ｂ側の部分８とに分けられる。上記と同様に、部分７は蓋として機能し、部分８は本体部として機能する。また、縦シール部３の非接着部分３Ａ，３Ｂが左右反対方向に開かれたことにより、非接着部分３Ａ，３Ｂを先端とする左右の帯状片１１Ａ，１１Ｂが現れている。
【００２４】
図１０は、開封後に包装袋１の蓋が閉じられた状況を示す図である。本体部（部分８）に蓋（部分７）を被せた後、紐部１１Ａ，１１Ｂによって蓋の下端を縛ることができ、これによって内容物の保存性が向上する。
【図面の簡単な説明】
【００２５】
【図１】本発明の実施の形態に係る包装袋の外観を示す平面図である。
【図２】切り込みが形成されている箇所を拡大して示す図である。
【図３】縦型ピロー包装機によって包装袋を製造する工程を順に示す模式図である。
【図４】消費者によって包装袋が開封された状態を示す平面図である。
【図５】開封後の包装袋を示す側面図である。
【図６】本発明の実施の形態の変形例に係る包装袋の外観を示す平面図である。
【図７】切り込みが形成されている箇所を拡大して示す平面図である。
【図８】切り込みが形成されている箇所を拡大して示す斜視図である。
【図９】消費者によって包装袋が開封された状態を示す平面図である。
【図１０】開封後に包装袋の蓋が閉じられた状況を示す図である。
【符号の説明】
【００２６】
１  包装袋
２Ａ  上部横シール部
２Ｂ  下部横シール部
３  縦シール部
３Ａ，３Ｂ  非接着部分
４，１０Ａ，１０Ｂ  切り込み
７  部分（蓋）
８  部分（本体部）
１１Ａ，１１Ｂ  帯状片
【図１】
2008290723.tif 000003
【図２】
2008290723.tif 000004
【図３】
2008290723.tif 000005
【図４】
2008290723.tif 000006
【図５】
2008290723.tif 000007
【図６】
2008290723.tif 000008
【図７】
2008290723.tif 000009
【図８】
2008290723.tif 000010
【図９】
2008290723.tif 000011
【図１０】
2008290723.tif 000012